(57)【要約】【課題】損傷を与えずにケーブルを拘束する。【解決手段】ケーブル拘束システムには、ケーブル拘束装置１００と、装置台座２００とがある。装置台座２００には、ベース・プレート２０４と、これの上の装着柱２０２とがある。ケーブル拘束装置１００には、台座部１０２、フレキシブル・パッド１０６、ふた部１０４がある。台座部１０２には、装着柱２０２を受ける開口３０６のある装着円柱３０４と、ケーブルを収容する溝３１０及び３１２を定める２つの側壁とがある。フレキシブル・パッド１０６は、台座部１０２内に収容され、その上からふた部１０４を台座部１０２にかぶせることで、ケーブルがケーブル拘束装置１００に対して、損傷が生じない程度の力で拘束されると同時に、ケーブル拘束装置１００が装置台座２００に固定される。【選択図】図１
2016195534.tif 000002
【特許請求の範囲】
【請求項１】
ケーブル拘束システムであって、
装置台座とケーブル拘束装置とを具え、
上記装置台座が、
ベース・プレートと
上記ベース・プレート上に配置される少なくとも１つの装着柱と
を有し、
上記ケーブル拘束装置が、
少なくとも１つの上記装着柱を受けるよう構成される少なくとも１つの装着円柱と、少なくとも１つのケーブルを受けるよう構成される凹部を定める互いに対向する1対の側壁部とを有する台座部と、
上記台座内に収納され、上記側壁部の間に配置されるフレキシブル挿入部材と、
上記側壁部の間を埋めて上記フレキシブル挿入部材を上記台座部内に保持すると共に、少なくとも１つの上記装着柱と係合するよう構成されるふた部と
を有するケーブル拘束システム。
【発明の詳細な説明】
【技術分野】
【０００１】
本発明は、破損等から保護しつつケーブルを拘束するケーブル拘束システムに関する。
【背景技術】
【０００２】
高周波数ケーブルは、被試験試験デバイス等を試験する際に、ギガ・ヘルツ帯域の信号をサンプルするのに必要とされる。こうした高周波数ケーブルは、壊れやすく、容易に破損し、この結果として、サンプルされた信号も劣化するか、歪みが生じる。従って、こうしたケーブルは、もつれたり、破損しないように、細心の注意をもって取り扱う必要がある。こうしたケーブルのコストは、数百ドルになることもあるので、破損したケーブルをコンスタントに交換するというのは、経済的に実行が難しい。
【０００３】
高周波数ケーブルは、ケーブル拘束装置を用いて、試験プローブに固定され、試験装置に接続されることが多いが、伝送される信号は、同じ高周波数ケーブルを用いて、ケーブル拘束装置自身を通る経路も経由しなければならない。内部のケーブルの保護と、ハウジング内に試験装置をパッケージすることとの間には、微妙なバランスが存在する。ケーブルは、プローブとの接続カ所から遠回りに配置された終端点に達するまでに、多様な内部コンポーネントの間をくねくねと這うように配線されることがある。ケーブルのハウジング内を通る経路は、ケーブル拘束装置を用いることで、経路上でケーブルがもつれたり、破損することがないようにして、慎重に選択される。
【先行技術文献】
【特許文献】
【０００４】
【特許文献１】特開２０１４−９３８４３号公報
【発明の概要】
【発明が解決しようとする課題】
【０００５】
上述のように、ケーブルに損傷を与えないようにしつつ、ケーブルを適切に拘束することが必要とされており、特に、ケーブル拘束装置を組み立てる最中や、そのケーブルの製品寿命の間に、ケーブルに損傷を与えずに拘束するための適切な手法が必要とされている。そこで、本発明は、こうした課題を解決しようとするものである。
【課題を解決するための手段】
【０００６】
本発明の概念１は、ケーブル拘束システムであって、
装置台座とケーブル拘束装置とを具え、
上記装置台座が、
ベース・プレートと
上記ベース・プレート上に配置される少なくとも１つの装着柱と
を有し、
上記ケーブル拘束装置が、
少なくとも１つの上記装着柱を受けるよう構成される少なくとも１つの装着円柱と、少なくとも１つのケーブルを受けるよう構成される凹部を定める互いに対向する1対の側壁部とを有する台座部と、
上記台座内に収納され、上記側壁部の間に配置されるフレキシブル挿入部材と、
上記側壁部の間を埋めて上記フレキシブル挿入部材を上記台座部内に保持すると共に、少なくとも１つの上記装着柱と係合するよう構成されるふた部と
を有している。
【０００７】
本発明の概念２は、上記概念１のケーブル拘束システムであって、上記ベース・プレート上の少なくとも１つの上記装着柱の近くに配置される少なくとも１つの位置決めホールを更に有している。
【０００８】
本発明の概念３は、上記概念２のケーブル拘束システムであって、このとき、上記ケーブル拘束装置の上記台座部が、上記台座部の底面に配置され、少なくとも１つの上記位置決めホールと係合する突起部を更に有している。
【０００９】
本発明の概念４は、上記概念１のケーブル拘束システムであって、このとき、上記ふた部が、少なくとも１つの上記装着柱と係合するよう構成される開口を更に有し、上記係合によって、上記ふた部が少なくとも１つの上記装着柱に脱着可能に固定される。
【００１０】
本発明の概念５は、上記概念４のケーブル拘束システムであって、このとき、少なくとも１つの上記装着柱が、上記ふた部の上記開口と係合するよう構成されるフレア式端部を有している。
【００１１】
本発明の概念６は、上記概念１のケーブル拘束システムであって、このとき、上記台座部は、基板に装着される。
【００１２】
本発明の概念７は、上記概念７のケーブル拘束システムであって、このとき、上記台座部は、上記基板に組み込まれている。
【００１３】
本発明の概念８は、上記概念１のケーブル拘束システムであって、このとき、上記ケーブル拘束装置の上記台座部は、上記凹部の底面に配置され、ケーブルを受ける少なくとも１つの溝を有している。
【００１４】
本発明の概念９は、上記概念１のケーブル拘束システムであって、このとき、上記フレキシブル挿入部材は、ポリマーから構成される。
【００１５】
本発明の概念１０は、上記概念１のケーブル拘束システムであって、このとき、上記フレキシブル挿入部材は、受け入れるケーブルの外形に合わせた形状を有している。
【００１６】
本発明の概念１１は、上記概念１のケーブル拘束システムであって、このとき、上記ふた部は、中央開口を有している。
【００１７】
本発明の概念１２は、上記概念１のケーブル拘束システムであって、このとき、上記ふた部は、上記ケーブル拘束装置の上記台座部と係合するよう構成される。
【００１８】
本発明の概念１３は、上記概念１のケーブル拘束システムであって、このとき、上記ケーブル拘束装置は、上記ベース・プレートの長手に沿って配置される。
【００１９】
本発明の概念１４は、上記概念１のケーブル拘束システムであって、このとき、複数の上記ケーブル拘束装置が、上記ベース・プレートの長手に沿って配置される。
【００２０】
本発明の概念１５は、上記概念１のケーブル拘束システムであって、ハウジングを更に具え、上記装置台座及び上記ケーブル拘束装置が、上記ハウジング内に装着されるよう構成されている。
【図面の簡単な説明】
【００２１】
【図１】図１は、本発明の実施形態によるケーブル拘束装置の分解斜視図である。
【図２】図２は、図１のケーブル拘束装置と連係して使用されるベース・プレートの斜視図である。
【図３Ａ】図３Ａは、ベース・プレートに装着された複数のケーブル拘束装置の上面図である。
【図３Ｂ】図３Ｂは、図３Ａの実施形態の側面図である。
【図４】図４は、図１のケーブル拘束装置の台座部の拡大斜視図である。
【図５】図５は、図１のケーブル拘束装置のフレキシブル・パッドの斜視図である。
【図６】図６は、図１のケーブル拘束装置のふた部の斜視図である。
【発明を実施するための形態】
【００２２】
図１に示す高周波数ケーブル拘束装置１００には、台座部１０２、ふた部（top portion）１０４及びフレキシブル・パッド（フレキシブル挿入部）１０６がある。ケーブル拘束装置１００は、図２に示す装置台座２００に装着される。装置台座２００は、装置１００を装置台座２００に装着するための１つ以上の装着柱２０２を有する。この１つ以上の装着柱２０２は、装置台座２００に固定されている。拘束装置１００の台座部１０２は、装着柱２０２にぴったりと合い、ふた部１０４も装着柱２０２に装着されて、ケーブル拘束装置１００が装置台座２００に拘束される。
【００２３】
装着柱２０２は、フレア式（朝顔形に開く形式の）端部２０３を有するスタッド（stud：埋め込みボルト）としても良く、フレア式端部２０３が拘束装置１００と係合し、拘束装置１００を拘束する。あるパターンで配置される複数の装着柱は、ベース・プレート２０４に沿って置かれ、ケーブルがたどるトレース（軌跡）のレイアウトを形成する。予め配置されたトレース・パターンによって、ケーブルに損害を与えることがない充分な曲線半径を確実に確保しつつ、試験装置のハウジングを通過する経路とするなど、基板を通る経路となるように補助する。
【００２４】
図２に示す装置台座２００では、ベース・プレート２０４と装着柱２０２が、好ましくは金属から形成される。これら装着柱２０２は、装置台座２００を形成するベース・プレート２０４に固定される個別の部品である。図示の例では、装着柱２０２は、ベース・プレート２０４にリベットで固定される。これに代えて、装着柱２０２は、ナット及びボルト、接着剤、溶接又は半田付けなどのような、他の固定手法でベース・プレート２０４に固定しても良い。装着柱２０２及びベース・プレート２０４を含めた装置台座２００を、鋳造するか、機械加工するか、又は、その他の方法で、単一のユニットとして形成しても良い。
【００２５】
ベース・プレート２０４及び装着柱２０２の両方は、他の適切な材料から形成しても良い。こうした材料としては、プラスチック、複合材料、セラミックなどがある。ケーブルが配置されるであろう環境を考慮して、他の材料の使用を検討しても良い。プラスチックのような絶縁材料は、ケーブルを電気的にアイソレートするのに利用できる。材料の選択に当たっては、コストや製造容易性なども検討すると良いであろう。
【００２６】
位置決めホール２０６が、ベース・プレート２０４上の装着柱２０２に近い位置に配置される。位置決めホール２０６は、図４に示す台座部１０２の突起部３０８を受け入れて、突起部３０８と係合する（以下で更に説明する）。突起部３０８と位置決めホール２０６の係合によって、拘束装置１００の向きが装置台座２００の長手方向に維持されるようになる。
【００２７】
ベース・プレート２０４には、更に、その長手方向に沿って配置されたホール２０８があり、これによって、装置台座２００を支持部材又は基板に装着できるようになる。これに代えて、装置台座２００を接着剤や他の適切な取り付け手段で適切な位置に固定するようにしても良い。
【００２８】
図４に示す拘束装置１００の台座部１０２は、好ましくは、射出成形処理を用いて、プラスチックから構成される。これに代えて、台座部１０２を、セラミック、金属、ゴム又は他の塑性材料から形成しても良い。
【００２９】
中央装着円柱３０４は、中央装着ホール３０６を有し、台座部１０２のほぼ中央に配置される。中央装着円柱３０４は、装着柱２０２を受け入れて、これが中央装着ホール３０６を通ってスライドする。中央装着円柱３０４は、装着柱２０２のフレア式端部２０３と係合する構造となっている。フレア式端部２０３は、台座部１０２を装置台座２００に軽く拘束する。これに代えて、中央装着円柱３０４が、台座部１０２を拘束するように、装着柱２０２と摩擦力を伴って嵌合するようになっていても良い。別の実施形態では、中央装着円柱３０４が装着柱２０２に対してゆるくスライドするようにして、装着柱２０２と積極的には係合しないようにしても良い。更に別の実施形態では、中央装着円柱３０４の内部に複数のフィン（fin）を設けて、これらフィンが装着柱２０２と係合するようにしても良い。これらフィンは、装着柱２０２に圧力を加えるように、弾力的又は可塑的に変形でき、台座部１０２を装着柱２０２に拘束する。
【００３０】
別の実施形態では、台座部１０２が粘着材で適切な位置に拘束されるようにしても良い。接着剤（glue）のような粘着材を、台座部１０２を固定する位置に付けることで、台座部１０２が固定される。これに代えて、台座部１０２のベース・プレート２０４側にある下面に粘着層を設けても良い。この粘着層を保護シートで覆っておいて、固定するときに保護シートをはがし、台座部１０２を所望の位置に押しつければ良い。
【００３１】
更に別の実施形態では、ねじ又はくぎを用いて台座部１０２を装着しても良い。ねじ又はくぎを中央装着円柱３０４を通過させて、装置台座２００のような基板（substrate）まで通すか、ハウジングまで直接通すようにしても良い。ねじ又はくぎで、台座部１０２だけを固定しても良いし、ふた部１０４も貫通させて、拘束装置１００全体を所望の位置に固定するようにしても良い。
【００３２】
高周波数ケーブルは、台座部１０２の溝３１０及び３１２を通る。これら溝（channel）は、ケーブルを台座部１０２に通す際のガイドとして機能する。溝３１０及び３１２は、ケーブルに対して何らの力も加えることがなく、ケーブルを拘束するようにケーブルと係合することもない。これによって、ケーブルに不適切な圧力が加わり、ケーブルが破損するのを防止する。
【００３３】
溝３１０及び３１２の内側を、ゴムや発砲材のようなクッション材で覆うようにしても良く、これによって、更に効果的にケーブルを保護しても良い。こうした追加の保護機能によって、ケーブルを損耗させると共にケーブルを台座部１０２に対してこすりつける振動からケーブルを更に隔離できるようになる。
【００３４】
これに代えて、台座部１０２を、装着ホール３０６はあるものの、中央装着円柱３０４と溝３１０及び３１２のない平らな台座とすることもできる。台座部１０２は、装着柱２０２が装着ホール３０６を通過することで、装着柱２０２に対してスライドする。次に、挿入部材を装着柱２０２に対してスライドさせて装着する。この挿入部材は、台座部１０２とふた部１０４との間の間隔を空けるための装着円柱と、台座部１０２を区切って溝を形成するための中央部材とを有するようにしても良い。
【００３５】
台座部１０２の下面には、突起部３０８が設けられる。突起部３０８は、上述のように、装置台座２００のベース・プレート２０４の位置決めホール２０６と係合する。位置決めホール２０６は、装置台座２００上における台座部１０２の位置と方向を定める。突起部３０８が位置決めホール２０６と係合することで、台座部１０２が装着柱２０２を中心として回転するのを防止する。
【００３６】
ある実施形態では、隆起（ridge）又は突起を台座部１０２の側壁の上部に形成し、これらがふた部１０４と係合するようにしても良い。ふた部１０４が台座部に対して押し込まれると、これら２つが互いに係合して固定され、拘束装置１００を構成する。
【００３７】
図５に示すフレキシブル・パッド（フレキシブル挿入部材）１０６は、台座部１０２を通るケーブルの上に配置される。フレキシブル・パッド１０６は、台座部１０２内にぴったりと収まる大きさで、スリット４０２がある。スリット４０２によって、フレキシブル・パッド１０６は、中央装着円柱３０４を中央にして、これに対してスライドできるようになる。フレキシブル・パッド１０６は、ケーブル、台座部１０２及びふた部１０４の間のスペースを埋める機能（pad：詰め物）を果たす。フレキシブル・パッド１０６が、ふた部１０４で圧縮されていても、これによって生じるフレキシブル・パッド１０６を通してケーブルにかかる圧力は小さくなり、損傷を与えるしきい値よりも低くなる。フレキシブル・パッド１０６によって生じるケーブルに対するわずかな圧力は、拘束装置１００からケーブルがずれたり、スライドするのを防止する。こうしたケーブルのずれ等を防止することで、ケーブルのラッピングやケーブル自身が、不適切な損傷を受けるのを防止できる。加えて、こうしたわずかな圧力によって、所望の又は必要な、安定した一定の張力がケーブルにかかるように維持され、適切なケーブルの性能が確実に得られるようになる。
【００３８】
フレキシブル・パッド１０６は、ゴム、ラテックス（latex：天然ゴムの成分）、高密度又は低密度の発泡材、又は何らかのポリマーのような複数の適切な材料から構成できる。フレキシブル・パッド１０６の材料としては、ふた部１０４を台座部１０２に対して閉じることで生じるケーブルに対してかかる力を、均等に分散又は最小化するようなものを選択する。
【００３９】
フレキシブル・パッド１０６は、その形状をケーブルの外形に合わせた形状に調整しても良い（図５のフレキシブル・パッド１０６の前面下部にあるアーチ形状参照）。このようにフレキシブル・パッド１０６の形状を調整することで、ケーブルにかかる圧力を低減し、こうした圧力を更に均等に分散させることができる。
【００４０】
図６は、拘束装置１００のふた部１０４の実施形態の例を示す。ふた部１０４は、台座部１０２とフレキシブル・パッド１０６を覆うものであると共に、中央ホール５０２を有している。ふた部１０４は、装着柱２０２が中央ホール５０２に係合することによって台座部１０２に固定されると、フレキシブル・パッド１０６をわずかに圧縮し、これによって、ケーブルに対して圧力を加える。この圧力は、ケーブルに損傷を与えない程度の小さいものであるが、ケーブルが拘束装置１００からスライドしないようにケーブルを軽く拘束するには充分なものである。
【００４１】
ふた部１０４を台座部１０２に拘束するため、装置台座２００の装着柱２０２にはフレア式端部２０３があり、これが、ふた部１０４の中央ホール５０２と係合する。中央ホール５０２と装着柱２０２の間の係合は、摩擦力を伴って嵌合する（friction fit）もので、ふた部１０４を装着柱２０２に固定するのに充分な強さがある。なお、ユーザであれば、この摩擦嵌合を外すことができ、拘束装置１００内を通るケーブルにアクセスできる。更に、押しボタン式（click type）の摩擦嵌合を利用すれば、拘束装置１００のふた部を繰り返し開閉でき、必要であれば、再利用することも可能になる。
【００４２】
別の実施形態では、上述のように、ねじなどの留め具を、拘束装置１００を固定するのに利用できる。こうした留め具は、ふた部１０４の中央ホール５０２を通り、台座部１０２の中央装着円柱３０４を通り、更に、基板（例えば、装置台座２００）に達して、拘束装置１００を所望の位置に固定する。これに代えて、ふた部１０４を留め具で台座部１０２に装着しつつ、台座部１０２は、何らかの装着手段で適切な位置に固定するようにしても良い。
【００４３】
更に別の実施形態では、フレキシブル・パッド１０６をふた部１０４に組み込んでも（一体に形成しても）良い。これによって、ふた部１０４を配置する前に、拘束装置１００にフレキシブル・パッド１０６を配置する手間をなくしても良い。
【００４４】
ふた部１０４を台座部１０２に装着する更に別の手法としては、粘着剤を使っても良い。。ふた部１０４は、ケーブルにアクセスできないように、台座部１０２に接着されるか、シールドされる。こうした状況は、場合によっては、好ましいことがある。ふた部１０４を、台座部１０２にテープで留めるようにしても良い。ふた部１０４にテープを貼ることで、拘束装置１００内のケーブルにアクセスしようとする人は、テープによるシールドを破らなければならないということを、やんわりと補足的に示すことができる。もしテープが破られれば、誰かが拘束されているケーブルをいじったのかもしれず、よって、ケーブルに損傷が生じたかもしれないということが、サービス技術者又はユーザには分かる。
【００４５】
拘束装置の別の実施形態では、拘束装置全体を基板（例えば、装置台座２００）に組み込んで一体に形成しても良い。ケーブルの経路となる溝は、基板内に形成される。溝には、その長手に沿って配置される１つ以上の装着柱が設けられる。上述の実施形態と同様に、ふた部材は、これら装着柱と係合し、溝内にケーブルを拘束する。複数のケーブルと、複数のふた部のそれぞれとの間には、フレキシブル・パッド（フレキシブル挿入部材）が配置される。これに代えて、単一のふた部を、溝の全長全体に渡って配置するようにしても良い。この全長に渡るふた部の場合も、１つのふた部と、複数のケーブルとの間に、これらケーブルを拘束するフレキシブル・パッドが設けられる。
【００４６】
ケーブル拘束装置１００を使用する場合、最初に、装置台座２００のベース・プレート２０４上に配置されている装着柱２０２に対して台座部１０２が置かれる。このとき、台座部１０２の突起部３０８を、ベース・プレート２０４上の位置決めホール２０６に係合させる。位置決めホール２０６と突起部３０８との係合は、装着柱２０２と装着円柱３０４との係合と合わせて、台座部１０２を装置台座２００に対して、ゆるやかに拘束する。ケーブルを溝３１０及び３１２内に配置し、次に、これらの上にフレキシブル・パッド１０６を配置する。フレキシブル・パッド１０６を適切に配置したら、ふた部１０４を装着柱２０２に対して固定する。これによって、拘束装置１００が完成すると共に、拘束装置１００が装置台座２００に対して強固に固定される。
【００４７】
図示した実施形態を参照しながら、本発明の原理を記述し、特徴を説明してきたが、こうした原理から離れることなく、図示した実施形態の構成や細部を変更したり、望ましい形態に組み合わせても良いことが理解できよう。例えば、本発明の概念は、次のように表現しても良い。
【００４８】
本発明の概念１は、ケーブル拘束システムであって、
装置台座とケーブル拘束装置とを具え、
上記装置台座が、
ベース・プレートと
上記ベース・プレート上に配置される少なくとも１つの装着柱と
を有し、
上記ケーブル拘束装置が、
少なくとも１つの上記装着柱を受けるよう構成される少なくとも１つの装着円柱と、少なくとも１つのケーブルを受けるよう構成される凹部を定める互いに対向する1対の側壁部とを有する台座部と、
上記台座内に収納され、上記側壁部の間に配置されるフレキシブル挿入部材と、
上記側壁部の間を埋めて上記フレキシブル挿入部材を上記台座部内に保持すると共に、少なくとも１つの上記装着柱と係合するよう構成されるふた部と
を有している。
【００４９】
本発明の概念２は、上記概念１のケーブル拘束システムであって、上記ベース・プレート上の少なくとも１つの上記装着柱の近くに配置される少なくとも１つの位置決めホールを更に有している。
【００５０】
本発明の概念３は、上記概念２のケーブル拘束システムであって、このとき、上記ケーブル拘束装置の上記台座部が、上記台座部の底面に配置され、少なくとも１つの上記位置決めホールと係合する突起部を更に有している。
【００５１】
本発明の概念４は、上記概念１のケーブル拘束システムであって、このとき、上記ふた部が、少なくとも１つの上記装着柱と係合するよう構成される開口を更に有し、上記係合によって、上記ふた部が少なくとも１つの上記装着柱に脱着可能に固定される。
【００５２】
本発明の概念５は、上記概念４のケーブル拘束システムであって、このとき、少なくとも１つの上記装着柱が、上記ふた部の上記開口と係合するよう構成されるフレア式端部を有している。
【００５３】
本発明の概念６は、上記概念１のケーブル拘束システムであって、このとき、上記台座部は、基板に装着される。
【００５４】
本発明の概念７は、上記概念７のケーブル拘束システムであって、このとき、上記台座部は、上記基板に組み込まれている。
【００５５】
本発明の概念８は、上記概念１のケーブル拘束システムであって、このとき、上記ケーブル拘束装置の上記台座部は、上記凹部の底面に配置され、ケーブルを受ける少なくとも１つの溝を有している。
【００５６】
本発明の概念９は、上記概念１のケーブル拘束システムであって、このとき、上記フレキシブル挿入部材は、ポリマーから構成される。
【００５７】
本発明の概念１０は、上記概念１のケーブル拘束システムであって、このとき、上記フレキシブル挿入部材は、受け入れるケーブルの外形に合わせた形状を有している。
【００５８】
本発明の概念１１は、上記概念１のケーブル拘束システムであって、このとき、上記ふた部は、中央開口を有している。
【００５９】
本発明の概念１２は、上記概念１のケーブル拘束システムであって、このとき、上記ふた部は、上記ケーブル拘束装置の上記台座部と係合するよう構成される。
【００６０】
本発明の概念１３は、上記概念１のケーブル拘束システムであって、このとき、上記ケーブル拘束装置は、上記ベース・プレートの長手に沿って配置される。
【００６１】
本発明の概念１４は、上記概念１のケーブル拘束システムであって、このとき、複数の上記ケーブル拘束装置が、上記ベース・プレートの長手に沿って配置される。
【００６２】
本発明の概念１５は、上記概念１のケーブル拘束システムであって、ハウジングを更に具え、上記装置台座及び上記ケーブル拘束装置が、上記ハウジング内に装着されるよう構成されている。
【符号の説明】
【００６３】
１００  ケーブル拘束装置
１０２  台座部
１０４  ふた部
１０６  フレキシブル・パッド（フレキシブル挿入部）
２００  装置台座
２０２  装着柱
２０３  フレア式端部
２０４  ベース・プレート
２０６  位置決めホール
２０８  ホール
３０４  中央装着円柱
３０６  中央装着ホール
４０２  スリット
５０２  中央ホール
【図１】
2016195534.tif 000003
【図２】
2016195534.tif 000004
【図３Ａ】
2016195534.tif 000005
【図３Ｂ】
2016195534.tif 000006
【図４】
2016195534.tif 000007
【図５】
2016195534.tif 000008
【図６】
2016195534.tif 000009